(57)【要約】【課題】減光発光が可能で、外観デザインが良いレンズ付きフイルムユニットを提供する。【解決手段】ストロボ放電管３７から放射されたストロボ光は、プロテクタ３９を透過してストロボ発光部７外に照射される。このストロボ光の一部であるストロボ光４０は、減光板１９に照射される。このストロボ光４０は、青色の光のみ反射され、その他の色の光は、減光板１９にて吸収される。ストロボ反射光４１は、プロテクタ３９を透過して、リフレクタ３８内で反射されて再びプロテクタ３９を透過してストロボ発光部７外に照射される。プロテクタ３９は紫外線吸収剤が含まれたプラスチックで成形されており、４４０ｎｍ以下の波長の光を吸収する。これにより、青色の光であるストロボ反射光４１は減光されて、被写体に向けて照射されるストロボ光は、青色が付くことが少ない。【選択図】　　　　図６
2004078068.tif 000002
【特許請求の範囲】
【請求項１】
紫外線吸収剤を含む透明なプラスチックにより成形され、ストロボ放電管及びリフレクタの前面側を保護するプロテクタを有するストロボ発光部と、被写体に向けて照射されるストロボ光を減光するために前記ストロボ発光部の前方に配置される減光板とを備えるレンズ付きフイルムユニットにおいて、
前記減光板は、４４０ｎｍ以上の波長の光を吸収し、４４０ｎｍ以下の波長の光を反射する特性を有する青色及び紫色に着色されたプラスチックで成形されていることを特徴とするレンズ付きフイルムユニット。
【発明の詳細な説明】
【０００１】
【発明の属する技術分野】
本発明は、レンズ付きフイルムユニットに関し、更に詳しくは、ストロボ光を減光する減光板を有するレンズ付きフイルムユニットに関するものである。
【０００２】
【従来の技術】
製造時に写真フイルムが装填されたレンズ付きフイルムユニットが各種販売されている。初期のレンズ付きフイルムユニットは、絞りやシャッタ速度が固定であった。そのため、光量の少ない暗い場所で撮影を行うと、主要な被写体はストロボ光によって適正に露出されるが、周辺光の取り込み量が少ないため背景は撮影されなかった。また、ユーザーによるレンズ付きフイルムユニットへの要望として、夜間にライトアップされた建物やイルミネーション等の夜景撮影への対応があった。
【０００３】
上記要望に応えるために、手動の切り替え操作によって絞りとストロボ光量とを切り替えられるようにし、大絞り状態でストロボの減光発光を行う夜間撮影モードを備えたレンズ付きフイルムユニットが特開２０００−１６２７３８号公報等で知られている。
【０００４】
【発明が解決しようとする課題】
しかしながら、上記公報記載のレンズ付きフイルムユニットは、ストロボの減光発光を行うために、ストロボ発光部の前方に減光板を配置している。この減光板は、有彩色、例えば、赤色で着色してしまうと、ストロボ光が赤く色付いてしましい、写真の色味が変化してしまう。このために、減光板を黒、白、グレー等の無彩色を使用しなければならないので、レンズ付きフイルムユニットの外観デザインが損なわれていた。
【０００５】
本発明は、上記問題点を解決するためのもので、減光板に有彩色を使用することにより、外観デザインが良いレンズ付きフイルムユニットを提供することを目的とする。
【０００６】
【課題を解決するための手段】
上記問題点を解決するために、本発明のレンズ付きフイルムユニットは、紫外線吸収剤を含む透明なプラスチックにより成形され、ストロボ放電管及びリフレクタの前面側を保護するプロテクタを有するストロボ発光部と、被写体に向けて照射されるストロボ光を減光するためにストロボ発光部の前方に配置される減光板とを備え、この減光板は、４４０ｎｍ以上の波長の光を吸収し、４４０ｎｍ以下の波長の光を反射する特性を有する青色及び紫色に着色されたプラスチックで成形されていることを特徴とするものである。
【０００７】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【０００８】
ユニット本体３の前面には、撮影レンズ５，ファインダ６，ストロボ光を被写体に向けて照射するストロボ発光部７，撮影モード選択部８等が設けれている。ユニット本体３の上面には、シャッタボタン９，カウンタ表示窓１０，シグナル部材１１等が設けられている。ユニット本体３の背面からは、撮影後のフイルム巻き上げに用いられる巻上げノブ１２の一部が露呈されている。
【０００９】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、第１操作位置から上方に向けてスライドされた第２操作位置と、第２操作位置から時計方向に回動された第３操作位置（図１の状態）との間で移動自在とされている。
【００１０】
レンズ付きフイルムユニット２は、操作部材１５が第１操作位置にある際に、ストロボＯＦＦ及び小絞り及び高速シャッタの日中撮影モード（第１撮影モード）となる。また、操作部材１５が第２操作位置にある際には、ストロボＯＮ及び小絞り及び高速シャッタの日中シンクロ撮影モード（第２撮影モード）となる。
【００１１】
操作部材１５が第３操作位置にある際には、ストロボＯＮ及び大絞り及び低速シャッタの夜間シンクロ撮影モード（第３撮影モード）となる。この第３撮影モードでは、ストロボ発光部７の前方に減光板１９が配置され、被写体に向けて照射されるストロボ光の減光が図られる。また、ファインダ６の前方には、円板状の指標板２０が配置される。この指標板２０は、ファインダ６内で視認されることにより、レンズ付きフイルムユニット２が第３撮影モードにあることを撮影者に知らせる。
【００１２】
図２は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。
【００１３】
本体基部２３の前面中央には、遮光筒３５が設けられている。この遮光筒３５の周囲には、シャッタチャージ機構、シャッタレリーズ機構、フイルム巻上げ機構、フイルム巻止機構、フイルムカウント機構、絞り切替機構、シャッタ速度切替機構、撮影光学系、ファインダ光学系等が組み込まれている。
【００１４】
本発明のレンズ付きフイルムユニット２は、前述したように、操作部材１５が第２操作位置及び第３操作位置にセットされた時に、ストロボ発光を行う。このため、モード切替機構２５が、操作部材１５の移動に連動してストロボユニット２４の充電スイッチのＯＮ／　ＯＦＦの切替えを行う。
【００１５】
さらに、モード切替機構２５は、操作部材１５が第２操作位置から第３操作位置に回動された時に、減光板１９をストロボ発光部７の前方に配置させ、さらに、指標板２０をファインダ６の前方に配置させる。また、この時、モード切替機構２５は、絞り切替機構、シャッタ速度切替機構を切替えて、大絞り及び低速シャッタに設定する。
【００１６】
図３は、ストロボユニット２４を示す外観斜視図である。ストロボユニット２４は、回路基板２９，ストロボ発光部７，乾電池３０とからなる。回路基板２９には、固定接片３１ａと弾性接片３１ｂとからなる充電スイッチ３１が設けられており、モード切替機構２５により弾性接片３１ｂが押圧されて固定接片３１ａに接触することにより、充電スイッチがＯＮになる。
【００１７】
回路基板２９の下部には、正極接片３２ａと負極接片３２ｂとからなる電池ホルダ３２が設けられ、ストロボユニット２４の電源を成す乾電池３０が取り付けられる。また、回路基板２９の背面上部には、充電用のコンデンサ３３が設けられ、規定レベルまで充電されると、回路基板２９に組み込まれたＬＥＤ３４が点灯する。
【００１８】
なお、回路基板２９の端部には、撮影機構のシャッタ羽根（図示せず）の動作に連動して開閉するシンクロスイッチ３５が設けられ、ＬＥＤ３４点灯時（ストロボ充電完了時）にシャッタレリーズを行うことにより、シャッタ羽根が開放した瞬間にシンクロスイッチ３５がＯＮしてストロボ発光部７から被写体に向けてストロボ光が照射される。
【００１９】
また、ストロボ発光部７は、回路基板２９に爪止めされているリフレクタケース３６の内部に、ストロボ光源となるストロボ放電管３７とこれを取り巻くリフレクタ３８が設けられ、その前面に、透明なプラスチックで成形されたプロテクタ３９が取り付けられる。このプロテクタ３９は、紫外線によるプラスチックの劣化を防止するために紫外線吸収剤が添加されている。
【００２０】
図４は、このプロテクタ３９の光透過特性を示すグラフである。横軸が光の波長（ｎｍ）、縦軸が光の透過率（％）である。このグラフから分かるように、波長が４４０ｎｍ以上の光は、略９０％透過しているが、波長が４４０ｎｍ以下の波長の光に対しては、波長が短くなるに従い透過率が漸減し、４００ｎｍ以下の波長に対しては、透過率が略０％になる。
【００２１】
図５は、波長領域毎の光の種類を示している。可視光線は、３８０ｎｍ〜７６０ｎｍの波長の光であり、波長３８０ｎｍ以下の光は、紫外線であり、波長７８０ｎｍ以上の光は、赤外線である。つまり、プロテクタ３９は紫外線を透過しない。また、可視光線は各波長領域毎に異なった色を有している。また、光は、物体に照射された際に、その物体と同じ色の光のみ反射され、その他の色の光は吸収されるという特徴がある。つまり、言い替えれば、赤色の光のみを反射して、その他の色を吸収するものが赤であり、青色の光のみを反射して、その他の色の光を吸収するものが青である。
【００２２】
このプロテクタ３９の前方には、前述したように、操作部材１５が第２操作位置から第３操作位置に回動された時に、減光板１９が配置される。この減光板１９は、４４０ｎｍ以下の波長の光を反射する色で成形されたプラスチックを使用する。４４０ｎｍ以下の波長の光は、図５から分かるように、青色または紫色の光である。本発明のレンズ付きフイルムユニット２では、青色に着色されたプラスチックで成形された減光板１９を使用する。また、減光板１９は紫色に着色されたプラスチックで成形しても良い。
【００２３】
図６は、発光部７及び減光板１９の断面図である。ストロボ放電管３７から放射されたストロボ光は、プロテクタ３９を透過してストロボ発光部７外に照射される。このストロボ光は、減光板１９より上方または下方では、そのまま被写体に向けて照射される。その他のストロボ光４０は、減光板１９に照射される。減光板１９に照射されたストロボ光４０は、青色の減光板１９と同じ色である青色の光のみ反射する。その他の色の光は、減光板１９にて吸収される。
【００２４】
減光板１９にて反射されたストロボ反射光４１は、プロテクタ３９を透過して、リフレクタ３８内で反射されて再びプロテクタ３９を透過してストロボ発光部７外に照射される。その後、この動作が繰替えされることにより、被写体に向けてのストロボ光の照射が完了する。
【００２５】
次に、このストロボ光の照射における減光板１９の作用について説明を行う。減光板１９に照射されるストロボ光４０は、プロテクタ３９にて透過された光であり、４４０ｎｍ以下の波長の光は、図４に示すように、透過率が低いため減光される。また、減光板１９にて反射されたストロボ反射光４１は、青色の光のみ反射されて再びプロテクタ３９を透過する。この時、さらに４４０ｎｍ以下の波長の光は減光される。その後、リフレクタ３８により反射されて再びストロボ発光部７外に照射される時にプロテクタ３９を透過して、再び４４０ｎｍ以下の波長の光が減光される。青色の光であるストロボ反射光４１は、４４０ｎｍ以下の波長を含むので、この動作が繰り返されることにより減光され、被写体に向けて照射されるストロボ光に、青色が付くことは少ない。
【００２６】
なお、本実施形態においては、夜間シンクロ撮影時にストロボ光を減光する減光板を備えたレンズ付きフイルムユニットについて説明したが、これに限るものではなく、近接撮影時にストロボ光を減光する減光板を備えたレンズ付きフイルムユニットに本発明を実施しても良い。
【００２７】
【発明の効果】
以上説明したように、本発明によれば、減光板の色を黒、白、グレー等の無彩色ではなく、青や紫の有彩色を使用できる。このため、外観デザインの自由度が広がり、美観を良くすることができる。また、ストロボ光に色が付くこともないので、写真の色味が変化することもない。
【図面の簡単な説明】
【図１】
本発明のレンズ付きフイルムユニットの外観斜視図である。
【図２】
本発明のレンズ付きフイルムユニットの構成を示す分解斜視図である。
【図３】
ストロボユニットの構成を示す斜視図である。
【図４】
プロテクタの光透過特性を説明する図である。
【図５】
波長領域毎の光の種類を説明する図である。
【図６】
減光板でのストロボ光の反射を説明する図である。
【符号の説明】
２　レンズ付きフイルムユニット
３　ユニット本体
５　撮影レンズ
６　ファインダ
７　ストロボ発光部
８　撮影モード選択部
１９　減光板
２０　指標板
２４　ストロボユニット
２５　モード切替機構
３６　リフレクタケース
３７　ストロボ放電管
３８　リフレクタ
３９　プロテクタ
４０　ストロボ光
４１　ストロボ反射光
【図１】
2004078068.tif 000003
【図２】
2004078068.tif 000004
【図３】
2004078068.tif 000005
【図４】
2004078068.tif 000006
【図５】
2004078068.tif 000007
【図６】
2004078068.tif 000008